(57)【特許請求の範囲】
【請求項１】
建屋内を仕切壁で操作室側と機械室側とに区分けし、前記操作室側に面する供給タンクより前記機械室内の複数の搬送装置、籾摺機、精米装置を経て、再び前記操作室側に面する白米タンクに至る穀粒の作業経路を配設してなる精米施設において、前記籾摺機手前の搬送経路中より前記操作室側への穀粒返却通路を設けるとともに、経路切替装置によって穀粒の搬送経路を前記籾摺機側と穀粒返却通路側とに切替え可能とし、籾摺機起動時以外は穀粒返却通路側に切り替わり、籾摺機起動時に籾摺機側に切り替わることを特徴とする精米施設。
【発明の詳細な説明】
【０００１】
【発明の属する技術分野】
本発明は、コイン籾摺精米施設に関するものである。
【０００２】
【従来の技術】
コイン籾摺精米機は、一般に機械室内部に籾摺機、石抜機、精米機や昇降機等の多種にわたる機械を設置して構成されているが、精米作業を開始した後、何らかの理由により精米作業を途中で中止する場合がある。そのとき未精米の穀粒を回収する方法として、従来、籾摺機手前の搬送経路に籾摺機側と回収側とを切り替えるための切替弁を設け、通常は籾摺機側に切り替えていて、客が操作盤にある持ち帰りボタンを押した時に切替弁が回収方向に切り替わるようにしていた。
しかしながら、この場合、昇降機内に穀粒がある状態で持ち帰りボタンを離すと切替弁が籾摺機側に切り替わって投入された穀粒が籾摺ロール上に流れてしまい、次回起動時にロールが詰まるなどの不具合が発生していた。
【０００３】
【発明が解決しようとする課題】
本発明は、上記従来の問題を解決するためになされたものであって、その目的とするところは、精米作業を途中で中止して持ち帰ることのできる場合の籾摺ロール等の籾詰まりを防止できるようにした精米施設を提供することにある。
【０００４】
【課題を解決するための手段】
かかる目的を達成するために、請求項１の発明は、建屋内を仕切壁で操作室側と機械室側とに区分けし、前記操作室側に面する供給タンクより前記機械室内の複数の搬送装置、籾摺機、精米装置を経て、再び前記操作室側に面する白米タンクに至る穀粒の作業経路を配設してなる精米施設において、前記籾摺機手前の搬送経路中より前記操作室側への穀粒返却通路を設けるとともに、経路切替装置によって穀粒の搬送経路を前記籾摺機側と穀粒返却通路側とに切替え可能とし、籾摺機起動時以外は穀粒返却通路側に切り替わり、籾摺機起動時に籾摺機側に切り替わるようにする。
【０００５】
【発明の実施の形態】
以下に、図面を参照して本発明の実施の形態について説明する。
図１は精米施設の内部平面図、図２は図１のＳ１−Ｓ１矢視図、図３は図１のＳ２−Ｓ２矢視図、図４は経路切替装置の概略構成図である。
【０００６】
図１の平面図に示すように、本発明の精米施設の一実施形態によれば、建屋内を仕切壁１１で操作室（客室）側（図面の左側）と機械室側（図面の右側）とに区分けしている。仕切壁１１は操作室側に向けて操作盤９（図２参照）を備えている。
【０００７】
また、操作室側に面する供給タンク１（穀粒供給口）より機械室内の複数の搬送装置、籾摺機、精米装置等を経て、再び操作室側に面する白米タンク８（穀粒取出口）に至る穀粒の作業経路を平面視略コの字型に配設している。すなわち、供給タンク１に続いて、機械室内の一側に籾摺機３を、他側に精米装置７を備え、上記供給タンク１と籾摺機３との間を籾昇降機２で連通し、籾摺機３と精米装置７との間は精米昇降機６を配設している。また、上記籾昇降機２と精米昇降機６のそれぞれの駆動モータを上記コの字型の内部に配設している。
【０００８】
さらに、精米作業の前処理工程を行う装置を機械室に配設している。すなわち、石を除去する石抜機４を籾摺機３の下部に、さらに藁屑等を除去する異物除去装置５を石抜機４の側方であって精米昇降機６との間にそれぞれ配設している。なお、図示はしていないが、機械室の後方には、精米装置７で生じる糠を処理するためのサイクロン、ヌカラセン、糠袋等をそれぞれ配設している。
【０００９】
ところで、籾昇降機２により機械室側に搬送された穀粒を籾摺機３に入る前に操作室側の穀粒返却口１５に還元するための還元通路１４が設けられている。そして、籾昇降機２の上部に隣接して設けた経路切替装置１３は、籾昇降機２により搬送されてきた穀粒を籾摺機３側と還元通路１４側とに切替えるものである。上記穀粒返却口１５は供給タンク１の上方に配置し、穀粒を返却する場合の持ち帰りボタン１０は、操作室にある操作盤９に設ける。
【００１０】
ここで、上記経路切替装置１３の構成について説明する。
経路切替装置１３は、穀粒の搬送路を２方向に分岐できるようになっており、本実施形態では、図４に示すように、籾摺ロール１２側の通路１８（弁板１６がＢの位置）と還元通路１４側（弁板１６がＡの位置）の２方向に切換えることができる。すなわち、四角形状の弁板１６がシャッタ軸１７の上側に左右ほぼ対称にネジ止めにより取付けられており、シャッタ軸１７は経路の分岐点の上方において一端が回転自在に軸支され、他端がモータの駆動軸と連結している。
【００１１】
モータの駆動により弁板１６はシャッタ軸１７を支点に左右に回動し、回動時の弁板１６の傾斜角度は図示しないリミットスイッチにより任意の位置で停止できるように構成されている。
【００１２】
このような配置構成において、供給タンク１内に投入された籾（および玄米）は供給ラセンによって籾昇降機２に移送され、さらに籾昇降機２により上方に運ばれて籾摺機３内に投入される。籾摺機３にて選別された玄米が石抜機４に入り、石抜機４にて石を選別される。次いで、異物除去装置５に入り、ここで藁屑等の異物が除去され、精米昇降機６に送られる。精米昇降機６にて上方に移送された玄米は精米装置７内に投入される。精米後の白米は白米タンク８に貯留される。また、精米装置７より圧送された糠はサイクロンにて空気と分離され、ヌカラセンにて搬送されて、糠袋に貯められる。
【００１３】
ところで、何らかの理由で途中で精米作業を止める場合、例えば、料金が不足し、供給タンク１内に投入された籾あるいは玄米が残留している際に、これらを持ち帰るためには持ち帰りボタン１０を押す。持ち帰りボタン１０が押されると、経路切換装置１３の弁板１６が回転して、経路が籾摺機３側から還元通路１４側へと切り換わる。供給タンク１に残った穀粒は供給ラセン及び籾昇降機２の動作により搬送経路から還元通路１４を経て穀粒返却口１５に返却される。これにより供給タンク１のみならず搬送経路中に残留する穀粒をも回収することができる。
【００１４】
本発明の精米施設の特徴は、前述したとおり、経路切替装置１３が籾摺機３の起動時以外は穀粒還元通路１４側に切り替わっていて、籾摺機３の起動時に籾摺機３側に切り替わるようにしたことである。つまり、通常は還元通路１４側に経路が向いており、籾摺機３が起動したときに経路が籾摺機３側に切り替わるように制御されている。
したがって、上記持ち帰りボタン１０を１回押すだけで返却動作を開始し、再度持ち帰りボタン１０を押して返却動作を停止させない限り、供給タンク１内に残っている穀粒がすべてなくなるまで返却動作を継続する。持ち帰りボタン１０を一旦離しても経路切替装置１３は切り替わらないので、穀粒が籾摺ロール１２上へ流れるようなことはなく、次回籾摺機３の起動時に籾摺ロール１２が詰まるような不具合は生じない。またこのように穀粒持ち帰りボタン１０を押し続ける必要がなく１回押すだけで良いので操作性が非常に優れる。
なお、精米終了時には、昇降機を止める際に経路切替装置１３が還元側に切替わってから、その後籾摺機３を停止することにより籾摺ロールでの籾詰まりを防止する。
【００１５】
図５は経路切替装置の他の実施形態を示したもので、３本のシュート２１〜２３が付いているケーシング１９内に湾曲したパイプ２０を配置し、このパイプ２０を図示しないモータで左右に回転させる。３本のシュートのうち、上部のシュート２１には、籾昇降機２より籾が移送され、下部のシュート２３は穀粒還元側に、シュート２２は籾摺機側にそれぞれつながっている。そして、通常運転時（同図（ａ））には、パイプ２０によってシュート２１と２２とが連通し、籾摺機３側に穀粒が流れる。また、持ち帰りボタン１０を押したときは、パイプ２０によってシュート２１と２３とが連通し（同図（ｃ））、還元通路側へ穀粒が流れる。それ以外の時は待機時（同図（ｂ））の位置でパイプ２０の開口がどのシュートにも接続しないので穀粒は流れない。なお、パイプ２０の回転角度位置はリミットスイッチにて制御される。
このように、切替位置を籾摺機側、ニュートラル（待機）、持ち帰り側に分け、モータを駆動してパイプ２０を回転させて使い分けることにより、籾摺ロール１２上に穀粒が溜まって詰まるようなことを防止できる。
【００１６】
次に、参考例である米の持ち帰り忘れを防止する手段について説明する。
すなわち、操作室内に人がいるかどうかを検出するため、操作室の床に置いたチェッカープレート２４の下側に重量センサを設けるとともに、前記供給タンク１と白米タンク８内に穀粒が残っているかどうかを検出するため、供給タンク１と白米タンク８内の底部に静電容量センサ２５、２６を設けておく。ゆえに、重量センサがオンのときは操作室内に人がいるものと判断し、静電容量センサ２５、２６がオンのときは、供給タンク１と白米タンク８の少なくとも一方に米が残っているものと判断する。
【００１７】
精米作業が終了して、供給タンク１と白米タンク８の両方のセンサがオフになってから操作室の重量センサがオフになれば問題なく終了したものと判断する。一方、前記供給タンクと白米タンクのどちらかのセンサがオンになっていれば米が残っていて、その状態で操作室の重量センサがオフになれば、客が米を持ち帰るのを忘れたものと判断し、警報等を鳴らして客に知らせるようにする。
従来の精米施設には米の持ち帰り忘れを客に知らせるシステムがなかったが、上記のような手段を設けて米の持ち帰り忘れを防止することで、次の客が来たときにもスムースに精米することが出来る。
【００１８】
【発明の効果】
以上詳細に説明したように、本発明の精米施設は、籾摺機手前の搬送経路中より操作室側への穀粒返却通路を設け、経路切替装置によって穀粒の搬送経路を籾摺機側と穀粒返却通路側とに切替え可能とし、籾摺機起動時以外は穀粒返却通路側に切り替わり、籾摺機起動時に籾摺機側に切り替わるようにするので、持ち帰り返却を指示するボタンを押してから一旦離しても経路切替装置は切り替わらないので、穀粒が籾摺ロール上へ流れるようなことはなく、次回籾摺機の起動時に籾摺ロールが詰まるような不具合は生じない。
【図面の簡単な説明】
【図１】精米施設の内部平面図である。
【図２】図１のＳ１−Ｓ１矢視図である。
【図３】図１のＳ２−Ｓ２矢視図である。
【図４】経路切替装置の概略構成図である。
【図５】経路切替装置の他の実施形態を示す概略構成図である。
【符号の説明】
１ 供給タンク
２ 籾昇降機
３ 籾摺機
４ 石抜機
５ 異物除去装置
６ 精米昇降機
７ 精米装置
８ 白米タンク
１０ 持ち帰りボタン
１３ 経路切替装置
１４ 還元通路
【図１】
0003740961.tif 000002
【図２】
0003740961.tif 000003
【図３】
0003740961.tif 000004
【図４】
0003740961.tif 000005
【図５】
0003740961.tif 000006